(57)【要約】【課題】光ディスクにおいてディスクバージョン情報を記録し、これを用いてディスクを記録再生する方法を提供する。【解決手段】ディスクの管理領域内にディスクバージョン情報を記録する方法において、前記ディスクバージョン情報は、少なくとも二つの区分された領域に、第１のバージョン情報と第２のバージョン情報とにそれぞれ区分して記録することを特徴とし、この結果、規格化されたディスクバージョンの情報を一様に適用することができ、光ディスクの記録再生に効率よく対応できるという長所がある。【選択図】図４
2007220286.tif 000002
【特許請求の範囲】
【請求項１】
記録媒体のバージョン情報の記録方法であって、
第１のバージョン情報と第２のバージョン情報とを含むバージョン情報を生成するステップで、該第１のバージョン情報と第２のバージョン情報の少なくとも一方が前記記録媒体に対する読み書きについての後方互換性を決める前記ステップと、
前記バージョン情報を前記記録媒体の特定領域に記録するステップと、
を含むことを特徴とする方法。
【請求項２】
前記第１のバージョン情報が、記録媒体とドライブとの記録再生の互換性を決めることを特徴とする請求項１に記載の記録媒体へのバージョン情報の記録方法。
【請求項３】
前記第２のバージョン情報が前記記録媒体とドライブとの間のデータの記録／再生に関する互換性を決めることを特徴とする請求項１に記載の方法。
【請求項４】
前記第１のバージョン情報が、同種の記録媒体同士の互換性を決めることを特徴とする請求項１に記載の記録媒体へのバージョン情報の記録方法。
【請求項５】
前記第１のバージョン情報と前記第２のバージョン情報が、記録媒体内の管理領域内に記録されることを特徴とする請求項１に記載の記録媒体へのバージョン情報の記録方法。
【請求項６】
前記第１のバージョン情報が互換可能なバージョン情報を表し、第２のバージョン情報が実際のバージョン情報を表すことを特徴とする請求項１に記載の記録媒体へのバージョン情報の記録方法。
【請求項７】
第２のバージョン情報が、第１のバージョンパートと第２のバージョンパートからなることを特徴とする請求項６に記載の記録媒体へのバージョン情報の記録方法。
【請求項８】
第１のバージョンパートを“Ｘ”とし表し、第２のバージョンパートが“Ｙ”で表される場合、これは、バージョン“Ｘ.Ｙ”を意味することを特徴とする請求項７に記載の記録媒体へのバージョン情報の記録方法。
【請求項９】
“Ｘ”は、同一の記録媒体における新規の規格を意味し、第１のバージョンパート内において“Ｘ”より小さい値を有する場合には、互換性がないことを意味することを特徴とする請求項８に記載の記録媒体へのバージョン情報の記録方法。
【請求項１０】
“Ｙ”は、同一の記録媒体における規格の追加を意味し、第２のバージョンパート内において“Ｙ”より小さい値を有する場合には、記録再生条件によって互換性の有無が変わり得ることを意味することを特徴とする請求項８に記載の記録媒体へのバージョン情報の記録方法。
【請求項１１】
前記第１のバージョンパートと第２のバージョンパートがそれぞれ４ビットずつ割り当てられることを特徴とする請求項８に記載の記録媒体へのバージョン情報の記録方法。
【請求項１２】
前記第２のバージョン情報を１情報バイトで表すことを特徴とする請求項６に記載の記録媒体へのバージョン情報の記録方法。
【請求項１３】
前記第２のバージョン情報内の第１のバージョンパートと第２のバージョンパートがそれぞれ４ビットずつ割り当てられることを特徴とする請求項８に記載の記録媒体へのバージョン情報の記録方法。
【請求項１４】
前記第１のバージョン情報が１情報バイト内に含まれることを特徴とする請求項６に記載の記録媒体へのバージョン情報の記録方法。
【請求項１５】
前記第１のバージョン情報が、１情報バイト内において４ビットまたは６ビット割り当てられることを特徴とする請求項１４に記載の記録媒体へのバージョン情報の記録方法。
【請求項１６】
前記第１のバージョン情報が前記記録媒体の互換性判定につき前記第２のバージョン情報を上回る優先順位を有することを特徴とする請求項２に記載の方法。
【請求項１７】
前記第１のバージョン情報に基づき前記記録媒体の前記ドライブとの互換性を判定する請求項１６に記載の方法。
【請求項１８】
前記第１のバージョン情報がドライブと互換性をもたない場合、前記記録媒体に前記ドライブをアクセスさせないことを特徴とする請求項１７に記載の方法。
【請求項１９】
前記第２のバージョン情報を用い、前記記録媒体に対しデータを読み書きするドライブとの互換性を判定することを特徴とする請求項１に記載の方法。
【請求項２０】
前記第２のバージョン情報が前記ドライブと互換性をもたない場合、該ドライブは前記データを読み書きしないことを特徴とする請求項１９に記載の方法。
【請求項２１】
前記バージョン情報を生成するにおいて、記録媒体の直径の大きさを表すサイズ情報を更に生成し、前記サイズ情報が、記録媒体内の特定領域に前記バージョン情報と共に記録されることを特徴とする請求項１に記載の記録媒体へのバージョン情報の記録方法。
【請求項２２】
前記バージョン情報とサイズ情報が１情報バイト内に共に割り当てられることを特徴とする請求項２１に記載の記録媒体へのバージョン情報の記録方法。
【請求項２３】
前記１情報バイト内においてサイズ情報は２ビットを、第１のバージョン情報は２ビットを、第２のバージョン情報は４ビットをそれぞれ割り当てることを特徴とする請求項２２に記載の記録媒体へのバージョン情報の記録方法。
【請求項２４】
第１の情報と第２の情報を含むバージョン情報のための情報バイトを制御情報内に割り当て、前記第１の情報と第２の情報の少なくとも一つから記録媒体の互換性を決めるステップと、
前記情報バイトを記録媒体内の特定領域に記録するステップと、
を含むことを特徴とする記録媒体上へのバージョン情報を含む制御情報の記録方法。
【請求項２５】
前記第１の情報が、ドライブによる記録媒体への記録再生の互換性を決めることを特徴とする請求項２４に記載の記録媒体へのバージョン情報の制御情報の記録方法。
【請求項２６】
ドライブによる記録媒体へのアクセスができないと、第１の情報が非互換性値を有することを特徴とする請求項２５に記載の記録媒体へのバージョン情報を含む制御情報の記録方法。
【請求項２７】
光ディスク上にバージョン情報を記録する方法であって、
以前のバージョン情報に互換性のある第１のバージョン情報と実際のバージョン情報とを含むバージョン情報を生成するステップと、
前記互換性バージョン情報と前記実際のバージョン情報をそれぞれ少なくとも二つの個別領域に記録するステップと、
を含むことを特徴とする方法。
【請求項２８】
前記実際バージョン情報が、第１のバージョンパートと第２のバージョンパートからなることを特徴とする請求項２７に記載の光ディスクへのバージョン情報を含む制御情報の記録方法。
【請求項２９】
第１のバージョンパートを“Ｘ”とし表し、第２のバージョンパートが“Ｙ”で表される場合、これは、バージョン“Ｘ.Ｙ”を意味することを特徴とする請求項２８に記載の光ディスクへのバージョン情報を含む制御情報の記録方法。
【請求項３０】
“Ｘ”は、同一の記録媒体における新規の規格を意味し、第１のバージョンパート内において“Ｘ”より小さい値を有する場合には、互換性がないことを意味することを特徴とする請求項２９に記載の光ディスクへのバージョン情報を含む制御情報の記録方法。
【請求項３１】
“Ｙ”は、同一の記録媒体における規格の追加を意味し、第２のバージョンパート内において“Ｙ”より小さい値を有する場合には、記録再生条件によって互換性の有無が変わり得ることを意味することを特徴とする請求項３０に記載の光ディスクへのバージョン情報を含む制御情報の記録方法。
【請求項３２】
前記第１のバージョンパートと第２のバージョンパートがそれぞれ４ビットずつ割り当てられることを特徴とする請求項２９に記載の光ディスクへのバージョン情報を含む制御情報の記録方法。
【請求項３３】
記録媒体のバージョン情報のためのデータ構造において、
前記バージョン情報が第１のバージョン情報と第２のバージョン情報からなり、前記第１のバージョン情報と第２のバージョン情報のいずれかが記録媒体の記録または再生における後方互換性を決めるために使用されることを特徴とするデータ構造。
【請求項３４】
前記第１のバージョン情報が、記録媒体とドライブとの記録再生の互換性を決めることを特徴とする請求項３３に記載の記録媒体のバージョン情報のためのデータ構造。
【請求項３５】
前記第２のバージョン情報が、記録媒体とドライブとの記録再生の互換性を決めることを特徴とする請求項３３に記載の記録媒体のバージョン情報のためのデータ構造。
【請求項３６】
前記第１のバージョン情報が、同種の記録媒体同士の互換性を決めることを特徴とする請求項３４に記載の記録媒体のバージョン情報のためのデータ構造。
【請求項３７】
前記第１のバージョン情報と第２のバージョン情報が、記録媒体内の管理領域内に記録されることを特徴とする請求項３３に記載の記録媒体のバージョン情報のためのデータ構造。
【請求項３８】
前記第１のバージョン情報が互換可能なバージョン情報を表し、第２のバージョン情報が実際のバージョン情報を表すことを特徴とする請求項３３に記載の記録媒体のバージョン情報のためのデータ構造。
【請求項３９】
第２のバージョン情報が、第１のバージョンパートと第２のバージョンパートからなることを特徴とする請求項３８に記載の記録媒体のバージョン情報のためのデータ構造。
【請求項４０】
第１のバージョンパートを“Ｘ”とし表す、第２のバージョンパートが“Ｙ”で表される場合、これは、バージョン“Ｘ.Ｙ”を意味することを特徴とする請求項３９に記載の記録媒体のバージョン情報のためのデータ構造。
【請求項４１】
“Ｘ”は、同一の記録媒体における新規の規格を意味し、“Ｘ”より小さい値を有する場合には、互換性がないことを意味することを特徴とする請求項４０に記載の記録媒体のバージョン情報のためのデータ構造。
【請求項４２】
“Ｙ”は、同一の記録媒体における規格の追加を意味し、“Ｙ”より小さい値を有する場合には、記録再生条件によって互換性の有無が変わり得ることを意味することを特徴とする請求項４１に記載の記録媒体のバージョン情報のためのデータ構造。
【請求項４３】
前記第１のバージョンパートと第２のバージョンパートがそれぞれ４ビットずつ割り当てられることを特徴とする請求項４０に記載の記録媒体のバージョン情報のためのデータ構造。
【請求項４４】
前記第２のバージョン情報を１情報バイトで表すことを特徴とする請求項３８に記載の記録媒体のバージョン情報のためのデータ構造。
【請求項４５】
前記第２のバージョン情報内の第１のバージョンパートと第２のバージョンパートがそれぞれ４ビットずつ割り当てられることを特徴とする請求項４４に記載の記録媒体のバージョン情報のためのデータ構造。
【請求項４６】
前記第１のバージョン情報が１情報バイト内に含まれることを特徴とする請求項３８に記載の記録媒体のバージョン情報のためのデータ構造。
【請求項４７】
前記第１のバージョン情報が、１情報バイト内において４ビットまたは６ビット割り当てられることを特徴とする請求項４６に記載の記録媒体のバージョン情報のためのデータ構造。
【請求項４８】
前記第１のバージョン情報が第２のバージョン情報に比べて記録媒体への記録再生を決めるに際して優先的に考慮されることを特徴とする請求項３４に記載の記録媒体のバージョン情報のためのデータ構造。
【請求項４９】
前記第１のバージョン情報が、ドライブによる記録媒体への記録または再生の互換性を決める情報であることを特徴とする請求項４８に記載の記録媒体のバージョン情報のためのデータ構造。
【請求項５０】
前記第１のバージョン情報が前記ドライブと互換性をもたない場合、前記記録媒体に前記ドライブをアクセスさせないことを特徴とする請求項４９に記載のデータ構造。
【請求項５１】
前記第２のバージョン情報を用い、前記記録媒体に対しデータを読み書きするドライブとの互換性を判定することを特徴とする請求項３３に記載のデータ構造。
【請求項５２】
前記第２のバージョン情報が前記ドライブと互換性をもたない場合、前記記録媒体に前記ドライブをアクセスさせないことを特徴とする請求項５１に記載のデータ構造。
【請求項５３】
前記データ構造がさらに前記記録媒体の直径を示すサイズ情報を含むことを特徴とする請求項３３に記載のデータ構造。
【請求項５４】
前記バージョン情報とサイズ情報が１情報バイト内に共に割り当てられることを特徴とする請求項５３に記載の記録媒体のバージョン情報のためのデータ構造。
【請求項５５】
前記１情報バイト内においてサイズ情報は２ビットを、第１のバージョン情報は２ビットを、第２のバージョン情報は４ビットをそれぞれ割り当てることを特徴とする請求項５４に記載の記録媒体のバージョン情報のためのデータ構造。
【請求項５６】
記録媒体上にバージョン情報を記録する装置であって、
第１のバージョン情報と第２のバージョン情報とを含むバージョン情報を生成するコントローラで、該第１のバージョン情報と第２のバージョン情報の少なくとも一方が前記記録媒体の互換性を決める前記コントローラと、
前記記録媒体の特定領域に前記バージョン情報を記録する記録部と、
を備えることを特徴とする装置。
【請求項５７】
前記第１のバージョン情報が前記記録媒体とドライブとの間の互換性を決めることを特徴とする請求項５６に記載の装置。
【請求項５８】
前記第２のバージョン情報が前記記録媒体とドライブとの間の互換性を決めることを特徴とする請求項５６に記載の装置。
【請求項５９】
前記第１のバージョン情報が同種の前記記録媒体間の互換性を決めることを特徴とする請求項５６に記載の装置。
【請求項６０】
前記記録部が前記第１と第２のバージョン情報を前記記録媒体内の管理領域に記録することを特徴とする請求項５６に記載の装置。
【請求項６１】
前記第１のバージョン情報が互換性バージョンを表し、前記第２のバージョン情報が実際のバージョンを表すことを特徴とする請求項５６に記載の装置。
【請求項６２】
前記第２のバージョン情報が第１のバージョンパートと第２のバージョンパートとを含むことを特徴とする請求項６１に記載の装置。
【請求項６３】
前記第１のバージョンパートがディジットＸを表し、前記第２のバージョンパートがディジットＹを表し、２進数的表現によりバージョン「Ｘ．Ｙ」を表すことを特徴とする請求項６２に記載の装置。
【請求項６４】
前記第１のバージョンパートと第２のバージョンパートがそれぞれ４ビットずつ割り当てられることを特徴とする請求項６２に記載の装置。
【請求項６５】
前記記録部が前記第２のバージョン情報を一つの情報バイト内に記録することを特徴とする請求項６０に記載の装置。
【請求項６６】
前記第１及び第２のバージョンパートは一つの情報バイト内にそれぞれ４ビット割り当てたことを特徴とする請求項６４に記載の装置。
【請求項６７】
前記記録部が前記第１のバージョン情報を一つの情報バイト内に記録することを特徴とする請求項６０に記載の装置。
【請求項６８】
前記記録部が前記第１のバージョン情報を４ビット又は６ビットで前記一つの情報バイト内に記録することを特徴とする請求項６７に記載の装置。
【請求項６９】
前記第１のバージョン情報が前記記録媒体の互換性判定につき前記第２のバージョン情報を上回る優先順位を有することを特徴とする請求項５６に記載の装置。
【請求項７０】
前記第１のバージョン情報がドライブと互換性をもたない場合、前記記録媒体に前記ドライブをアクセスさせないことを特徴とする請求項６９に記載の装置。
【請求項７１】
前記コントローラが前記第２のバージョン情報に基づき前記記録媒体とドライブとの互換性を判定し、前記記録媒体に対しデータを読み／書きすることを特徴とする請求項５６に記載の装置。
【請求項７２】
前記第２のバージョン情報が前記ドライブと互換性をもたない場合、該ドライブは前記データを読み書きしないことを特徴とする請求項７１に記載の装置。
【請求項７３】
前記コントローラがさらに前記記録媒体の直径を示すサイズ情報を生成することを特徴とする請求項５６に記載の装置。
【請求項７４】
前記記録部が前記バージョン情報と共に前記サイズ情報を前記記録媒体の前記特定領域に記録することを特徴とする請求項７３に記載の装置。
【請求項７５】
前記記録部が前記バージョン情報と前記サイズ情報を一つの情報バイト内に記録することを特徴とする請求項７４に記載の装置。
【請求項７６】
前記情報バイト内において、前記サイズ情報に２ビットを割り当て、前記第１のバージョン情報に２ビットを割り当て、前記第２の情報に４ビットを割り当てたことを特徴とする請求項７５に記載の装置。
【発明の詳細な説明】
【技術分野】
【０００１】
本発明は、光ディスクのような情報記録媒体に係り、特に、情報記録媒体上にディスクバージョン情報を記録する方法と、これを用いた記録再生方法及び記録再生装置に係る。
【背景技術】
【０００２】
一般に、情報記録媒体として大容量のデータが記録可能な光ディスクが広く使用されている。近来では、高画質のビデオデータと高音質のオーディオデータを長時間書き込むことができる次世代の高密度光記録媒体（ＨＤ−ＤＶＤ）として、例えば、ブルーレイディスクを開発するための多く努力がなされている。
【０００３】
次世代ＨＤ−ＤＶＤ技術であるブルーレイディスク（ＢＤ）は、既存のＤＶＤを遥かに超える大容量のデータを書き込むことができる光記録ソリューションであって、近来、これに対する世界標準の技術規格が確立されつつある。
【０００４】
ブルーレイディスク（ＢＤ）に係る各種の標準案が設けられており、書き換え可能な１速度ブルーレイディスク（ＢＤ−ＲＥ）に続いて書き換え可能な高速度（２速度以上）ブルーレイディスク（ＢＤ−ＲＥ）、１回だけ書き込み可能なブルーレイディスク（ＢＤ−Ｒ）、再生専用ブルーレイディスク（ＢＤ−ＲＯＭ）に対する各種の標準案が設けられている。
【０００５】
同系列のブルーレイディスク（ＢＤ）であっても、技術の発展に合わせて規格化された内容がバージョンアップされつつある。一例として、書き換え可能な１速度ブルーレイディスク（ＢＤ−ＲＥ）から２速度（またはそれ以上）ブルーレイディスク（ＢＤ−ＲＥ）といったようにディスクの規格が拡張されつつある。従って、拡張される規格内容をディスクバージョン情報として管理する必要がある。
【０００６】
図１は、従来のＤＶＤにおけるディスクバージョン情報を表す方法を説明する図で、ディスクの管理領域内に４ビットを割り当ててバージョン情報を表していた。バージョンが追加される度に新規のビットを割り当ててバージョンを表していた。
【０００７】
しかし、ディスクバージョン情報は装置内にロードされたディスクの記録や再生の可否を判断する重要な情報である。したがって、より統一的で拡張可能な方法で記録しておく必要がある。最近規格化が論議されているＢＤ−ＲＥ、ＢＤ−Ｒ、ＢＤ−ＲＯＭの場合、ディスクバージョン情報を記録する方法についても論議されている。規格化された情報として提供されて始めて相互間の互換性が確保できるようになるため、高密度光ディスク上へのディスクバージョン情報を記録するための効率的な対応案の確立が切実に要求されている。
【発明の開示】
【発明が解決しようとする課題】
【０００８】
本発明は、上述した従来技術の問題点を解決するためになされたものであって、その目的は、規格化された情報としてディスクバージョン情報を記録する方法を提供し、特に、記録されたディスクバージョン情報から光ディスクの効率的な記録再生方法を提供することである。
【０００９】
本発明の他の目的は、ディスクバージョン情報を構成する新規のデータ構造について定義することである。
【００１０】
本発明のまた他の目的は、その定義されたディスクバージョン情報を特定のディスク管理領域に規格化された方法で記録することにより、同系列のディスク同士の互換性を提供することである。
【００１１】
本発明の更なる目的は、ディスク内に記録されたディスクバージョン情報を用いて光ディスクに実際のデータを記録再生する記録再生方法及び記録再生装置を提供することである。
【課題を解決するための手段】
【００１２】
前記目的を達成するための本発明に係る光ディスクのディスクバージョン情報を記録する方法は、ディスクの管理領域内にディスクバージョン情報を記録する際に、ディスクバージョン情報を、少なくとも二つの区分された領域に第１のバージョン情報と第２のバージョン情報とに区分して記録することを特徴とする。
【００１３】
さらに、本発明に係る光ディスクのディスクバージョン情報を記録する他の方法は、ディスクの管理領域内にディスクバージョン情報を含むディスク情報を記録する際に、ディスク情報内に、ディスクのサイズを表す情報とディスクバージョンを区別する情報を記録し、ディスクバージョン情報を、少なくとも二つの区分された領域に第１のバージョン情報と第２のバージョン情報とにそれぞれ区分して記録することを特徴とする。
【００１４】
さらに、本発明の他の態様は、本発明に係る光ディスクのディスクバージョン情報を構成させる際に、ディスクバージョン情報を第１のバージョン情報と第２のバージョン情報とで構成させ、第１のバージョン情報がディスクの上位バージョンを意味し、第２のバージョン情報がディスクの下位バージョンを意味するように構成することを特徴とする。
【００１５】
さらに、本発明の他の態様は、ディスクバージョン情報が記録された光ディスクであって、ディスクバージョン情報が第１のバージョン情報と第２のバージョン情報からなり、第１のバージョン情報がディスクの上位バージョンを意味し、第２のバージョン情報がディスクの下位バージョンを意味するように構成することを特徴とする。
【００１６】
さらに、本発明に係る記録媒体へのバージョン情報の記録方法は、第１のバージョン情報と第２のバージョン情報の少なくとも一つが記録媒体の記録または再生における後方互換性を決めるようになっている、その第１のバージョン情報と第２のバージョン情報を含むバージョン情報を生成するステップと、バージョン情報を記録媒体内の特定領域に記録するステップとを含むことを特徴とする。
【００１７】
さらに、本発明に係る記録媒体上へのバージョン情報を含む制御情報の記録方法は、第１の情報と第２の情報の少なくとも一つから記録媒体の互換性を決めるようになっている、その第１の情報と第２の情報を含むバージョン情報のための情報バイトを制御情報内に割り当てるステップと、情報バイトを記録媒体内の特定領域に記録するステップとを含むことを特徴とする。
【００１８】
さらに、本発明に係る光ディスクへの制御情報の記録方法は、ディスク直径を表すディスクサイズ情報とディスクバージョンを表すディスクバージョン情報のための情報バイトを制御情報内に割り当てるステップであって、ディスクバージョン情報が第１のバージョン情報と第２のバージョン情報とに分離して割り当てられるステップと、その割り当てられた情報バイトを光ディスクの特定領域に記録するステップとを含むことを特徴とする。
【００１９】
さらに、本発明に係る光ディスクへのバージョン情報を含む制御情報の記録方法は、下位バージョンとの互換性可否を表す互換性バージョン情報と実際のバージョンを表すリアルバージョン情報を意味するディスクバージョン情報とを生成するステップと、互換性バージョン情報とリアルバージョン情報を少なくとも二つの分離された領域内にそれぞれ記録することを特徴とする。
【００２０】
さらに、本発明に係る他の実施態様は記録媒体のバージョン情報のためのデータ構造であって、そのバージョン情報が第１のバージョン情報と第２のバージョン情報からなり、第１のバージョン情報と第２のバージョン情報のいずれかが記録媒体の記録または再生における後方互換性を決めるのに使用されることを特徴とする。
【００２１】
さらに、本発明に係るバージョン情報を表すデータ構造は、バージョン情報が第１のバージョン情報と第２のバージョン情報からなり、第２のバージョン情報が第１のバージョン情報により指示されない上位バージョンを表し、第２のバージョン情報が第１のディジットと第２のディジットからなり、第１のディジットを“Ｘ”とし、第２のディジットを“Ｙ”とするとき、２進数的表現にてバージョン“Ｘ.Ｙ”で表されることを特徴とする。
【００２２】
さらに、本発明に係る光記録媒体にデータを記録する方法は、光記録媒体の特定領域に第１のバージョン情報と第２のバージョン情報からなるバージョン情報を記録し、第２のバージョン情報が第１のバージョン情報により指示されない上位バージョンを表し、第２のバージョン情報が第１のディジットと第２のディジットからなり、第１のディジットを“Ｘ”とし、第２のディジットを“Ｙ”とするとき、２進数的表現にてバージョン“Ｘ.Ｙ”で表されることを特徴とする。
【００２３】
さらに、本発明に係る光記録媒体にデータを記録再生する方法は、光記録媒体の特定領域から第１のバージョン情報と第２のバージョン情報からなるバージョン情報が含まれた制御情報を読み出すステップであって、第１のバージョン情報と第２のバージョン情報の少なくとも一つが記録媒体の記録または再生における後方互換性を決めるのに使用するステップと、バージョン情報に基づいて記録媒体への記録または再生を制御するステップとを含むことを特徴とする。
【００２４】
さらに、本発明に係る光記録媒体にデータを記録再生する方法は、光記録媒体の特定領域から第１のバージョン情報と第２のバージョン情報からなるバージョン情報を読み出すステップであって、第２のバージョン情報が第１のバージョン情報により指示されない上位バージョンを表し、第２のバージョン情報が第１のディジットと第２のディジットからなり、第１のディジットを“Ｘ”とし、第２のディジットを“Ｙ”とするとき、２進数的表現にてバージョン“Ｘ.Ｙ”で表されるステップと、読み出したバージョン情報に基づいて光記録媒体上のデータ領域にデータを記録または再生するステップとを含むことを特徴とする。
【００２５】
さらに、本発明に係る他の実施態様のバージョン情報を有する記録媒体は、バージョン情報が第１のバージョン情報と第２のバージョン情報からなり、第２のバージョン情報が第１のバージョン情報により指示されない上位バージョンを表し、第２のバージョン情報が第１のディジットと第２のディジットからなり、第１のディジットを“Ｘ”とし、第２のディジットを“Ｙ”とするとき、２進数的表現にてバージョン“Ｘ.Ｙ”で表されることを特徴とする。
【００２６】
さらに、本発明に係る光ディスクの記録再生方法は、ディスクがロードされると、ディスクの管理領域内に記録されたディスクバージョン情報である、少なくとも二つの区分された領域に記録された第１のバージョン情報と第２のバージョン情報を読み出すステップと、その読み出された第１のバージョン情報から当該ディスクが記録再生可能なディスクであるか否かを判断するステップと、判断の結果、記録再生可能なディスクであれば記録再生を行うステップとからなることを特徴とする。
【００２７】
さらに、本発明に係る光ディスクの記録再生装置は、ディスクがロードされると、ディスクの管理領域内に記録されたディスクバージョン情報である、少なくとも二つの区分された領域に記録された第１のバージョン情報と第２のバージョン情報を読み出し、その読み出された第１のバージョン情報から当該ディスクが記録再生可能なディスクであるか否かを判断した後、判断の結果を制御部に伝送する記録再生部と、判断の結果を受信し、記録再生可能なディスクであれば記録再生コマンドを記録再生部に伝える制御部とからなることを特徴とする。
【発明の効果】
【００２８】
以上説明したように本発明によれば、高密度光ディスク上にディスクバージョン情報を含むディスク情報、特に、少なくとも二つのバージョン情報を用いてディスクバージョン情報を記録する各種の方法を提示し、この結果、規格化されたディスク情報を統一的に適用することができ、光ディスクの記録再生に効率よく対応できるという長所を有する。
【発明を実施するための最良の形態】
【００２９】
以下、本発明に係る光ディスクのディスクバージョン情報の記録方法及び光ディスクの記録再生方法に対する好適な実施の形態を、添付した図面を参照して詳細に説明する。なお、可能な限り図面中の同一の機能及び構成要素については同一の参照符号を付する。
【００３０】
本発明で使用される用語は、可能な限り広く使用される一般の用語を選択したが、特定の場合は、出願人が任意に選定した用語もあり、この場合は、発明の詳細な説明における該当する部分において詳細にその意味を記載したので、単なる用語の名称自体ではない用語がもつ意味で本発明を把握すべきである。
【００３１】
また、説明の便宜上、光ディスクは、ブルーレイディスク（ＢＤ）の場合を例に挙げて説明するが、ブルーレイディスク（ＢＤ）の他にも、本発明の概念的特徴は、ディスクバージョン情報が更新される光ディスクである、例えば、ＤＶＤ−ＲＡＭ／−ＲＷ／＋ＲＷなどにも同様に適用できることは自明である。
【００３２】
本発明は、ディスクバージョン情報を記録する方法に係り、以下、本発明で新規に定義されるディスクバージョン情報について説明し、ディスクバージョン情報を記録する方法について詳細に説明する。
【００３３】
“ディスクバージョン情報”とは、同系列のディスクにおいて技術の発展に伴って新規の規格事項が追加される度にディスクバージョンを新たに決め、ディスク製作者が当該ディスクが如何なるバージョンにより製作されたディスクであるかをディスク内の特定領域に記録しておく情報であり、当該ディスクを記録再生する記録再生装置（図１０）がディスク内に記録されたそのディスクバージョン情報を記録再生の際に参照するようにするためのものである。
【００３４】
本発明では、“ディスクバージョン情報”を構成する際に、次のような規則で構成する。即ち、ディスクバージョン情報を３部分に分け、第１のバージョン情報は、ディスクの物理規格が変更され下位バージョンとは相互間の互換性、すなわち後方互換性が確保されていないことを表し、第２のバージョン情報は、ディスクの物理規格に変更があったものの、第１のバージョン情報が同一であれば相互間に互換性が保持されることを表し、第３のバージョン情報は、ディスクの物理規格に変更がない場合で、規格書の編集だけを追加／変更したものであって相互間において常に互換性が保持されることを表している。
【００３５】
また、第１、２、３のバージョン情報を記述する方法は、例えば、あるディスクのバージョン情報を“Ｖａ.ｂｃ”と表すと、“ａ”は第１のバージョン情報を意味し、“ｂ”は第２のバージョン情報を意味し、“ｃ”は第３のバージョン情報を意味するものと決める。従って、仮に、ディスクバージョン情報が“Ｖ１.００”であれば、第１のバージョン情報が“１”で、第２、第３のバージョン情報がいずれも“０”であることを示している。
【００３６】
この“Ｖ１.００”のディスクバージョンに対して新規のバージョンの規格事項が追加されると仮定すれば、その追加される規格事項が前の“Ｖ１.００”バージョンと互換性が保持されない新規の物理的規格であれば“Ｖ２.００”のようにバージョン情報を表す。一方、互換性が保持される新規の物理的規格であれば“Ｖ１.１０”のようにバージョン情報を表し、物理的規格事項の変動のない規格書の編集上の追加／変動であれば“Ｖ１.０１”のようにバージョン情報を表す。
【００３７】
ディスクバージョン情報をディスク内に記録するとき、第３のバージョン情報は記録しなくてもよい。なぜならば、ディスクバージョン情報をディスク内に記録する理由が、ディスクの物理的規格の変更に伴って、記録再生装置（図１０）がそれに効率よく対応するためであり、第３のバージョン情報は、物理的な規格の変更事項のない場合であるため、記録再生装置（図１０）が必ず参照しなければならない情報ではないためである。従って、本発明では、ディスクバージョン情報について、第１のバージョン情報と、第２のバージョン情報について主に説明するが、必要に応じて、第３のバージョン情報を同一方式で記録できることは自明である。
【００３８】
即ち、本発明は、前記のようにディスクバージョン情報を少なくとも第１のバージョン情報と第２のバージョン情報に区分して定義し、その定義されたそれぞれの第１、２のバージョン情報を記録する領域を区分しておくことにより、ディスクバージョン情報を効率よく記録可能にし、ディスクバージョンの拡張に能動的に対応できるようにしたことが本発明の主な技術思想である。
【００３９】
図２と図３は、本発明に係る光ディスクの構造であって、特に、ディスクバージョン情報を含むディスク制御情報を記録する方法を説明するために示す図であり、本発明が適用される光ディスクは、記録可能な光ディスクのみならず、再生専用光ディスクにも同一に適用され得る。
【００４０】
関連して、前述したように、本発明は、説明の便宜上、ブルーレイディスク（ＢＤ）の場合を例に挙げて説明するが、ブルーレイディスク（ＢＤ）の他にも、ディスクバージョン情報が更新される光ディスクである、例えば、ＤＶＤ−ＲＡＭ／−ＲＷ／＋ＲＷなどにも同様に適用可能であることは自明である。
【００４１】
また、本発明においてディスクバージョン情報を含む“ディスク制御情報”とは、ディスクの記録再生のための各種の情報を含む領域または情報を意味し、例えば、ブルーレイディスク（ＢＤ）では、これを“ディスク情報（Disc Information）”と称しており、ＤＶＤ−ＲＡＭ／−ＲＷ／＋ＲＷでは、これを“物理フォーマット情報(physical format information)”と称している。以下、説明の便宜のために本発明では、ブルーレイディスク（ＤＢ）の場合に当たる“ディスク情報（ＤＩ）”として説明する。
【００４２】
図２は、本発明の光ディスクの構造であって記録層が一つである記録可能な単層構造のものを示しており、本発明のディスクバージョン情報を含むディスク情報（ＤＩ）のディスク内での記録位置を説明するための図である。
【００４３】
図２において、本発明の光ディスクは、その内周と外周領域に管理領域としてリードインとリードアウト領域が備えられており、特に、ディスクの内周領域には、事前記録領域と再記録可能な領域とに区分されている。事前記録領域とは、ディスクの製作時に予め記録する領域であって、ユーザーまたはシステムによる更なる記録が不可能な領域である。特に、ＢＤ−ＲＥ／ＷＯでは、この事前記録領域をＰＩＣ（Permanent Information & Control data）と称している。このＰＩＣ領域には、ディスクの記録などに必要な情報であるディスク情報（ＤＩ）が記録されている。データ領域には、ユーザーの実際のデータが記録されるユーザーデータ領域と欠陥領域の発生時にこれに対処するためのスペア領域（ＩＳＡ、ＯＳＡ）がそれぞれ備えられており、特に、ＢＤ−ＷＯのような１回だけ記録可能な光ディスクでは、ディスクの欠陥管理、一般管理のための情報を記録するＴＤＭＡ（Temporary Defect Management Area）が管理領域内に設けられている。書き換え可能なＢＤ−ＲＥの場合、ＴＤＭＡは不要な領域であるため予備領域として残しておく。
【００４４】
本発明は、事前記録領域にディスク情報としてディスクの記録再生に必要な速度情報及び記録関連情報（Write Strategy；ＷＳ）の記録とともに、本発明のディスクバージョン情報を効率よく記録する方法を提示する。
【００４５】
規格化されたディスクの種類毎に事前記録領域への記録方式が相違していることは当然である。ＢＤ−ＲＥ／ＷＯの場合、事前記録領域のＰＩＣ領域には、２位相高周波変調された信号で記録しておき、当該領域の高周波変調された信号を特定の再生方式によって再生し、これにより情報を取得している。
【００４６】
図３は、図２に示すディスク構造におけるＰＩＣ領域の構造を簡略に示す図である。これは、前述したように高周波変調されたＰＩＣ領域内の情報を全て取得した時、図３に示すような構造に情報を並び替えできるということを意味し、物理的にＰＩＣ領域が図３に示すように記録されているということではない。
【００４７】
ＢＤ−ＲＥ／ＷＯでは、最小記録単位を“１クラスタ（cluster）”とし、ＰＩＣ領域は、５４４クラスタが集まって一つの上位記録単位としてのフラグメントを形成し、五つのフラグメントが集まってＰＩＣ領域を形成している。
【００４８】
第１のフラグメント（ＩＦＯ）の先頭クラスタにはディスク情報が記録されている。ディスク情報は、当該光ディスクの許容可能な記録層と速度ごとに複数に記録され、一つのディスク情報は１１２バイトで構成されている。１１２バイトから構成されたディスク情報を、特にディスク情報フレーム（ＤＩ ｆｒａｍｅ）ともいう。また、残りのフラグメントの先頭クラスタにも同内容のディスク情報を繰り返して記録しておくことにより、ディスク情報の損失に対応できるようにした。
【００４９】
記録可能な光ディスク内のそれぞれのディスク情報内には、当該記録層と速度を表す情報やその記録層と速度に対応する記録関連情報（ＷＳ）が、ディスクバージョン情報とともに記録されている。そのような情報が当該光ディスクの記録時や再生時に用いられ、効率的な記録再生が可能になる。
【００５０】
仮に、ＢＤ−ＲＯＭのような再生専用光ディスクであれば、ディスク情報内にディスクへの記録のための速度情報と記録関連情報（ＷＳ）が含まれないことは自明である。
【００５１】
以下、図４〜図１０を参照して、前記のようなディスク情報内にディスクバージョン情報を記録する方法に対する各種の例について詳細に説明する。
【００５２】
図４は、本発明に係る光ディスクのディスクバージョン情報を含むディスク情報を記録する一実施形態を示す図であって、ディスクバージョン情報を記録する領域が別に割り当てられている。
【００５３】
ディスク内には、少なくとも一つのディスク情報が記録され、それぞれのディスク情報の順番が１バイトによって記録された一連番号にしたがって決められる。
【００５４】
例えば、ディスク情報の第５番目のバイトにその順番情報を記録しておく。これを“ＤＩ ｆｒａｍｅ ｓｅｑｕｅｎｃｅ ｎｕｍｂｅｒ ｉｎ ＤＩ ｂｌｏｃｋ”フィールドと称する。簡略に“００ｈ、０１ｈ、０２ｈ....”によって表される。即ち、第５番目のバイトの情報が“００ｈ”であれば、最初のディスク情報であることを意味し、“０３ｈ”であれば、第４番目のディスク情報であることを意味する。
【００５５】
さらに、ディスク情報内の特定領域、例えば、第（Ｌ〜１１１）番目のバイトの“Ｗｒｉｔｅ ｓｔｒａｔｅｇｙ ｐａｒａｍｅｔｅｒｓ”フィールドと称した領域には、記録可能な光ディスクの場合に当該ディスク情報が意味する速度に連動する記録関連情報（ＷＳ）を記録しておき、また他の特定領域、例えば、第Ｎ番目のバイトの“Ｄｉｓｃ Ｖｅｒｓｉｏｎ”フィールドと称した領域には、ディスクバージョンに関する情報を記録しておく。
【００５６】
“Ｄｉｓｃ Ｖｅｒｓｉｏｎ”フィールドは２部分に区分されており、第１の４ビットには第１のバージョン情報を記録し、第２の４ビットには第２のバージョン情報を記録する領域として割り当てられている。従って、４ビットずつ割り当てられた第１、２のバージョン情報は、最大１５個までのバージョンを表すことができる。例えば、図４において“Ｖｘ.Ｆｘ”または“ＶＦ.ｘｘ”と表された場合における“Ｆ”値は、十進数の“１５”を意味する十六進数法的表現であり、“ｘ”は、当該バージョン情報は特定されていない値（“ｄｏｎ’ｔ ｃａｒｅ”ともいう）であることを意味する表現である。かかる表現方法は、後述する他の実施形態においても同様に適用される。
【００５７】
従って、仮に、第Ｎ番目のバイトの“Ｄｉｓｃ Ｖｅｒｓｉｏｎ”フィールドが“０１００ ００１０ｂ”であれば、第１のバージョン情報は“４”になり、第２のバージョン情報は“２”になるため、当該ディスクのバージョンは“Ｖ４.２ｘ”であることを意味する。
【００５８】
図５は、本発明に係る光ディスクのディスクバージョン情報を含むディスク情報を記録する他の実施形態に係り、現在に論議中の書き換え可能な１速度ブルーレイディスク（ＢＤ−ＲＥ）におけるディスク情報の記録方法との互換性を保持しつつディスクバージョン情報を記録する方法を示す図である。
【００５９】
ディスク情報の第１１番目のバイトを、ディスクサイズ情報とバージョン情報を記録する“Ｄｉｓｃ ｓｉｚｅ／ｖｅｒｓｉｏｎ”フィールドと称し、３つに区切られており、第１部分の２ビットがサイズ情報を記録し、第２部分の３ビットが第１のバージョン情報を記録し、第３部分の３ビットが第２のバージョン情報を記録している。
【００６０】
ディスクサイズ情報は、現在に論議中のブルーレイディスク（ＢＤ）は１２ｃｍしかないので、“００ｂ”であれば１２ｃｍの場合を意味し、残りは、今後規格として追加されるであろうディスクサイズのために予備領域として残しておく。例えば、８ｃｍディスクを規格化すれば、“０１ｂ”と定義できる。ディスクバージョン情報は、計６ビットを第１のバージョン情報と第２のバージョン情報のそれぞれに３ビットずつ割り当て、それぞれのバージョン情報を最大７個まで表すことができるようにした。
【００６１】
従って、仮に、第１１番目のバイトが“００ ００１ ０１０ｂ”であれば、ディスクサイズが１２ｃｍで、第１のバージョン情報が“１”で、第２のバージョン情報が“２”であるので、当該ディスクのバージョンが“Ｖ１.２ｘ”であることを意味する。
【００６２】
図６は、本発明に係る光ディスクのディスクバージョン情報を含むディスク情報を記録する他の実施形態に係り、図５と同様に現在論議中の書き換え可能な１速度ブルーレイディスク（ＢＤ−ＲＥ）におけるディスク情報の記録方法と互換性を保持しつつディスクバージョン情報を記録する他の方法を示す図である。
【００６３】
図６の実施形態は、図５とは異なって、第２のバージョン情報に４ビットを割り当て、第１のバージョン情報に２ビットを割り当てている。これは、第２のバージョン情報に物理的規格変更があっても、第１のバージョン情報が同一であれば相互間の互換性が保持される場合であって、第１のバージョン情報より第２のバージョン情報の方がバージョンの変更が発生する可能性が高いため、第２のバージョン情報により多くのビットを割り当てようとしたものである。
【００６４】
仮に、物理的規格変更があっても、第１のバージョン情報が同一であり、第２のバージョン情報だけが変更される場合であれば、ディスク同士では互換性が保持される。例えば、ディスクバージョン情報が、それぞれＶ２.２とＶ２.１のディスクがあるとすれば、両ディスク同士では第２のバージョン情報だけが相違し、第１のバージョン情報は同一であるため相互間の互換性が保持される。仮に、ディスクバージョン情報が、それぞれＶ１.１とＶ２.１のディスクがあるとすれば、両ディスク同士では、第２のバージョン情報は同一であるが、第１のバージョン情報が相違しているため、相互間の互換性が保持されない。
【００６５】
前記場合は、実際のディスクとドライブ（記録再生装置の一種）との間にも適用される。例えば、ディスクバージョンがＶ２.ｘのディスクが、Ｖ１.ｘのディスクが制御可能な旧ドライブにロードされると、そのドライブは、Ｖ２.ｘディスクを制御できる如何なるハードウェアやソフトウェアも備えていないため、ロードされたＶ２.ｘディスクへの記録再生のためのアクセスができなくなる。これに対し、ディスクバージョンがＶｘ.３のディスクが、Ｖｘ.２のディスクが制御可能な旧ドライブにロードされる場合、そのドライブとロードされたディスクとは、同じ第１のバージョン情報を有するため記録再生が可能になる。
【００６６】
従って、仮に、第１１番目のバイトが“００ １０ ００１１ｂ”であれば、ディスクサイズが１２ｃｍで、第１のバージョン情報は“２”で、第２のバージョン情報は“３”であるため、当該ディスクのバージョンが“Ｖ２.３ｘ”であることになる。
【００６７】
図７は、本発明に係る光ディスクのディスクバージョン情報を含むディスク情報を記録するさらに他の実施形態に係り、図５、図６と同様に現在に論議中の書き換え可能な１速度ブルーレイディスク（ＢＤ−ＲＥ）におけるディスク情報の記録方法との互換性を保持しつつディスクバージョン情報を記録するさらに他の方法を示す図である。
【００６８】
図７の実施形態は、図５、図６とは異なって、第１のバージョン情報とディスクサイズ情報とが第１１番目のバイトに共に記録され、第２のバージョン情報を別の予備領域（第Ｎ番目のバイト）に１バイトを割り当てた。これは、第２のバージョン情報は、前述したように第１のバージョン情報よりバージョンの変更が発生する可能性が高いため、より多くのビットを割り当てようとしたことと、現在に論議中のディスク情報内に予備領域が多数あるという点を考慮したのためである。逆に、第１１番目のバイトに第２のバージョン情報を記録し、第Ｎ番目のバイトに第１のバージョン情報を記録することも可能である。
【００６９】
従って、仮に、第１１番目のバイトが“００ ００００１０ｂ”であり、第Ｎ番目のバイトが“００００ ０１００ｂ”であれば、第１１番目のバイトからディスクサイズは１２ｃｍであり、第１のバージョン情報は“２”であり、第Ｎ番目のバイトから第２のバージョン情報は“４”であるため、当該ディスクのバージョンが“Ｖ２.４ｘ”であることになる。
【００７０】
図８は、本発明に係る光ディスクのディスクバージョン情報を利用したディスク情報を記録するさらに他の実施形態に係り、本実施形態のバージョン情報は、ディスク規格バージョン情報を意味するのではなく、記録速度のバージョン情報を意味することを特徴とする。
【００７１】
即ち、ディスク情報内に記録される記録速度バージョン情報を、既存の記録速度から拡張された記録速度を前述したディスクバージョン情報と同様の方式で表している。例えば、ディスク情報内の特定領域、例えば、第Ｌ〜１１１番目のバイトの“Ｗｒｉｔｅ ｓｔｒａｔｅｇｙ ｐａｒａｍｅｔｅｒｓ”フィールドと称した領域に、記録可能な光ディスクの場合に当該ディスク情報が意味する速度に連動する記録関連情報（ＷＳ）を記録しておき、他の特定領域、例えば、第Ｎ番目のバイトの“Ｒｅｃｏｒｄｉｎｇ ｓｐｅｅｄ ｖｅｒｓｉｏｎ”フィールドと称した領域に、ディスク速度バージョンに関する情報を記録しておく。
【００７２】
“Ｒｅｃｏｒｄｉｎｇ ｓｐｅｅｄ ｖｅｒｓｉｏｎ”フィールドを２部分に区分し、第１部分の４ビットに第１のバージョン情報を記録し、第２部分の４ビットに第２のバージョン情報を記録する領域として割り当てる。従って、４ビットずつ割り当てられた第１、２のバージョン情報は、最大１５個までのバージョンを表すことができる。
【００７３】
従って、仮に、第Ｎ番目のバイトの“Ｒｅｃｏｒｄｉｎｇ ｓｐｅｅｄ ｖｅｒｓｉｏｎ”フィールドが“０１００ ００１０ｂ”であれば、第１のバージョン情報は“４”で、第２のバージョン情報は“２”であるため、当該ディスクのバージョンは“Ｖ４.２ｘ”である。
【００７４】
従って、記録速度バージョン値は、二進数によって実際の記録速度を表している。第Ｌ〜１１１番目のバイトはディスクに適用される各記録速度のためのＷｒｉｔｅ ｓｔｒａｔｅｇｙ ｐａｒａｍｅｔｅｒｓを含む。
【００７５】
図９は、本発明に係る光ディスクのディスクバージョン情報を利用したディスク情報を記録するさらに他の実施形態に係り、前述したディスクバージョン情報に更に従来のバージョンとの互換性の可否を表したことを特徴とする。
【００７６】
即ち、図９の実施形態は、２種のバージョン情報がディスク情報内に記録されている。第１のバージョン情報は、現ディスクの実際のディスクバージョン情報であり、第Ｎ番目のバイトの“ａｃｔｕａｌ ｄｉｓｃ ｖｅｒｓｉｏｎ ｉｎｆｏ”フィールドに記録されるバージョン情報である。本フィールドへの具体的な記録方式は、図４の場合と同一であるため、詳細は省略する。
【００７７】
また、第２のバージョン情報は、現ディスクと互換可能な下位バージョン情報であり、例えば、第１１番目のバイトの“ｃｏｍｐａｔｉｂｌｅ ｄｉｓｃ ｖｅｒｓｉｏｎ ｉｎｆｏ”フィールドに記録される。本実施形態では、そのフィールドに６ビットが割り当てられ、特定の値で互換可能なバージョンの情報を表すようになっている。また、他の割り当て方法として、例えば、図１に示すように４ビットを第２のバージョン情報として割り当てることも可能である。
【００７８】
従って、仮に、第１１番目のバイトが“００ ００００１０ｂ”であり、第Ｎ番目のバイトが“００１０ ００１０ｂ”であれば、第１１番目のバイトからディスクサイズは１２ｃｍであり、互換可能なバージョン情報は“Ｖｅｒｓｉｏｎ ２”（これは、規格から特定のバージョン値が決められることを意味し、Ｖ２.ｘｘを意味するのではない）で、第Ｎ番目のバイトから実際のディスクバージョン情報は、“Ｖ２.２ｘ”であることを意味する。
【００７９】
従って、ディスク情報内のディスクバージョン情報から現ディスクの実際のバージョン情報のみならず、互換可能なバージョン情報まで読み出すことが可能になるという長所がある。
【００８０】
この実施形態のようにディスクバージョン情報を記録する理由は、記録再生装置（図１０）がロードされたディスクのバージョンを的確に読み出し、読み出したバージョンのディスクを記録再生可能であるか否かを判断しようとすることが主な理由である。以下、本発明のディスクバージョン情報を用いた光ディスクの記録再生方法及び記録再生装置について、詳細に説明する。
【００８１】
図１０は、本発明が適用される光ディスクの記録再生装置である。記録再生装置は、光ディスクへの記録再生を行う記録再生部１０と、これを制御する制御部２０を備えている。制御部２０は、記録再生部１０に特定領域への記録または再生コマンドを与え、記録再生部１０は、制御部２０からのコマンドに従って特定領域への記録再生を行う。
【００８２】
記録再生部１０は、具体的には、外部と通信を行うインタフェース部１２と、光ディスクにデータを記録したり再生するピックアップ部１１と、ピックアップ部１１から再生信号を受信し所望の信号値に復元したり、記録すべき信号を光ディスクに記録できる信号に変調して伝えるデータプロセッサ１３と、光ディスクから的確に信号を読み出したり、光ディスクに信号を的確に記録するためにピックアップ部１１を制御するサーボ部１４と、ディスクバージョン情報を含むディスク制御情報を一時的に記憶するメモリ１５と、記録再生部１０の構成要素を制御するマイクロコンピュータ１６とを備えている。
【００８３】
さらに、記録再生装置とは別に記録再生部１０を介して再生した信号をディスプレイしたり、制御部２０を介して最終ユーザーに情報を提供するディスプレイ装置３０を含んでいても良い。
【００８４】
本発明に係る光ディスクの記録再生過程について詳細に説明すれば、次の通りである。
まず、光ディスクを記録再生装置内にロードすると、ディスク内に記録されたディスク制御情報が読み出されて記録再生部内のメモリ１５に一時的に記憶される。これらの制御情報は、光ディスクへの記録再生時に利用される。特に、メモリに記憶される制御情報には、本発明のディスクバージョン情報を含むディスク情報も含んでおり、従って、ディスク情報内に記録された第１のバージョン情報と第２のバージョン情報も読み出される。
【００８５】
従って、仮に、記録再生装置の記録可能なディスクバージョンが“Ｖ１.ｘｘ”であるとする。記録再生部１０内のマイクロコンピュータ１６は、ロードされたディスクから読み出されたディスクバージョン情報のうちの第１のバージョン情報が“１”であれば、当該ディスクが記録再生可能であると判断し、これを制御部２０に通報し、制御部２０は、ユーザーの指示により正常な記録再生コマンドを記録再生部１０に伝える。しかし、ロードされたディスクから前記読み出されたディスクバージョン情報のうちの第１のバージョン情報が“２”以上である場合は、当該ディスクが記録再生不可能であると判断し、この判断結果を制御部２０に通報し、制御部２０は、必要に応じてディスプレイ装置３０を介してユーザーに記録再生が不可能である旨の案内メッセージを通報する。
【００８６】
この時、第２のバージョン情報は相違していても原則的には記録再生は可能であるが、上位の第２のバージョン情報の記録再生装置であれば一部の機能においては支援できないこともあり、このようなことが発生する際も制御部２０を介してユーザーに一部機能の支援が不可能である旨の案内メッセージを通報することができる。例えば、記録再生装置の記録可能なディスクバージョンが“Ｖ１.１ｘ”であり、ロードされたディスクから前記読み出されたディスクバージョン情報が“Ｖ１.３ｘ”であれば、第１のバージョン情報が“１”と同一であるので記録再生は可能であるものの、ロードされたディスクの場合、第２のバージョン情報が“３”であるため記録再生装置が支援する第２のバージョン情報“１”に比べて下位バージョンに当たり、記録再生装置の有する一部機能を使用することができない場合も発生し得る。
【００８７】
従って、前記のように記録再生装置内のマイクロコンピュータ１６は、ロードされたディスク内に記録された第１のバージョン情報と第２のバージョン情報を自分のバージョン情報と比較し、記録再生可能の有無または一部機能の支援可能の有無を決め、その結果を、制御部や最終ユーザーに伝えることができ、効率的な光ディスクの記録再生が可能になる。
【００８８】
以上、前述した本発明の好適な実施形態は、例示の目的のために開示したものであるに過ぎず、当業者であれば本発明の特許請求の範囲に開示された本発明の技術的思想とその技術的範囲内で種々の他の実施形態として改良、変更、代替などが可能なはずである。
【図面の簡単な説明】
【００８９】
【図１】従来のディスクバージョン情報を記録する方法を示す図である。
【図２】本発明が適用される単層ディスク構造を示す図である。
【図３】本発明のディスクバージョン情報が記録される管理領域の構造を示す図である。
【図４】本発明に係るディスクバージョン情報を含むディスク制御情報を記録する一実施形態を示す図である。
【図５】本発明に係るディスクバージョン情報を含むディスク制御情報を記録する他の実施形態を示す図である。
【図６】本発明に係るディスクバージョン情報を含むディスク制御情報を記録するさらに他の実施形態を示す図である。
【図７】本発明に係るディスクバージョン情報を含むディスク制御情報を記録するさらに他の実施形態を示す図である。
【図８】本発明に係るディスクバージョン情報を利用したディスク制御情報を記録する更なる実施形態を示す図である。
【図９】本発明に係るディスクバージョン情報を利用したディスク制御情報を記録する更なる実施形態を示す図である。
【図１０】本発明に適用可能な光ディスクの記録再生装置を示す図である。
【図１】
2007220286.tif 000003
【図２】
2007220286.tif 000004
【図３】
2007220286.tif 000005
【図４】
2007220286.tif 000006
【図５】
2007220286.tif 000007
【図６】
2007220286.tif 000008
【図７】
2007220286.tif 000009
【図８】
2007220286.tif 000010
【図９】
2007220286.tif 000011
【図１０】
2007220286.tif 000012